(57)【特許請求の範囲】
【請求項１】
窓枠に固定するヘッドボックスまたはカーテンレールと、このカーテンレール等に吊金具のフックに吊環によって吊り下げるカーテン布地とを備え、このカーテン布地を上方にたくし上げる操作コードを有するカーテンを折り畳むカーテンの折り畳み構造において、
カーテン布地に突き刺し可能な針の先端付近に係合部を備えたピンと、該ピンの係合部と係着する嵌合部を備えた挟着部を有するとともに操作コードを挿通するリングを備えた固着台と、からなる止め具をカーテン布地に所定間隔で一直線に配列して取付け、この止め具の固着台の各リングに通したたくし上げ用の操作コードの末端をカーテン布地の下端に係着してなり、前記ピンと前記固着台とからなる止め具の係合位置を任意の位置に配置固定し、操作コードを上下してカーテン布地をたくし上げることを特徴とするカーテンの折り畳み構造。
【請求項２】
上端縁に面ファスナーを備えたカーテン布地に突き刺し可能な針の先端付近に係合部を備えたピンと、該ピンの係合部を係着する嵌合部を備えた挟着部を有するとともにカーテン布地を上方にたくし上げる操作コードを挿通するリングを備えた固着台とからなる止め具をカーテン布地に所定間隔で一直線に配列し、前記ピンと前記固着台との止め具の係合位置を任意の位置に配置固定してカーテン布地を折り畳むようにしたことを特徴とするカーテンの折り畳み構造。
【請求項３】
カーテン布地に所定幅で分割し、それぞれの部分で独立して折り畳みまたは上下可能にして部分幅でたくし上げ可能にしたことを特徴とする請求項１または請求項２に記載のカーテン折り畳み構造。
【請求項４】
窓枠に固定するヘッドボックスまたはカーテンレールと、このカーテンレール等に吊金具のフックに吊環によって吊り下げるカーテン布地とを備え、このカーテン布地を上方にたくし上げる操作コードを有するカーテンを折り畳むカーテンの折り畳み構造において、
カーテン布地に突き刺し可能な針先端付近に係合部を備えたピンと、該ピンの係合部を係着する嵌合部を備えた挟着部を有するとともに操作コードを挿通するリングを備えた固着台とからなる止め具の各リングに前記操作コードを挿通して複数配設すると共にこの操作コードを前記ヘッドボックスまたはカーテンレールに備えた案内部材に挿通して配設し、これら各操作コードの操作部分が前記カーテン布地の片側に配置してなり、前記リングが前記操作コードの案内ガイドとしたことを特徴とするカーテンの折り畳み構造。
【発明の詳細な説明】
【０００１】
【発明の属する技術分野】
本発明は、カーテン布地を窓枠に固定した状態で簡易に折り畳み可能なカーテン折り畳み構造に関する。
【０００２】
【従来の技術】
一般的にカ−テンは手動または電動により左右に開閉する形式のものが多いが、近年においては上下方向に開閉する形式の所謂ロ−マンシェ−ドも一般的になりつつある。ロ−マンシェ−ドは、厚手の生地によって製造されたものが一般的である。このロ−マンシェ−ドを上下に開閉するための複数本のコ−ドをシェ−ド布地に縫合された多数のリング内を通すか、実開昭５８−１２６０８５号公報に記載されるようにカーテン布地に鳩目穴を配列してこの鳩目穴に操作コードを挿通し、この操作コードの末端をシェ−ド布地の下端に取り付けたものが知られている。このような場合、カーテン布地が汚れた場合、シェ−ド布地から縫いつけた操作コードや、ホック付テープ等をほぐすして取り外し、鳩目穴から操作コードを取り外して洗浄することになり、これらの作業が面倒であった。
【０００３】
本出願人は先に特開平１１−６２４３９号公報等に記載されるカーテンを提案したが、これらカーテンは、カーテン布地の裏面に長手方向に沿って所定間隔で雌ホックを配列してなり、この雌ホックに係合する雄ホックを所定間隔で取付けたコードとを備え、このコードの雄ホックとカーテン布地の雌ホックとを常時係合させて、コードの操作によりカーテンを上方に折り畳み上げたり、下方に下ろしたりするものであるが。このコードが一本ではカーテンが幅方向に不釣り合いとなり見掛けが悪く、２本以上のコードを取付けたときは、数本のコードを同時に上方にたくし上げ移動させる必要があり操作が面倒であった。また、複数のコードを同時にたくし上げ移動させるための連動機構が複雑となっていた。
【０００４】
【発明が解決しようとする課題】
このように従来のカーテンにおいては、折り畳み作業が煩雑であった。また、カーテン布地に折り畳みするための縫製工程を必要とせず、カーテン布地に折り畳みのためのホックなどを備えたテープ等を縫いつける縫製工程が必要であった。更に、ホック式やスナップ式では係合状態の解放作業が大変で、容易に分離することができなかった。
【０００５】
本発明は、上記の如き問題点を解決すべく発明されたものであり、カーテンを折り畳むときは止め具の係合位置を適当の間隔で係合して折り畳むことによるカーテンの折り畳み方法を提供する。
カーテン布地が汚れた場合、簡単に操作コード等を取り外してカーテン布地のみ上辺の面ファスナーをヘッドボックスから外すだけでカーテン布地を取り外して洗濯することができる。
この発明の課題は、ホックを備えた布テープや折り畳みののための縫製工程を必要とせず簡易な方法により折り畳み可能なカーテン折り畳み方法を提供することである。
【０００６】
【課題を解決するための手段】
本発明は、以上の課題を達成するために、本発明に係るカーテンの折り畳み構造は、窓枠に固定するヘッドボックスまたはカーテンレールと、このカーテンレール等に吊金具のフックに吊環によって吊り下げるカーテン布地とを備え、このカーテン布地を上方にたくし上げる操作コードを有するカーテンを折り畳むカーテンの折り畳み構造において、カーテン布地に突き刺し可能な針の先端付近に係合部を備えたピンと、該ピンの係合部と係着する嵌合部を備えた挟着部を有するとともに操作コードを挿通するリングを備えた固着台と、からなる止め具をカーテン布地に所定間隔で一直線に配列して取付け、この止め具の固着台の各リングに通したたくし上げ用の操作コードの末端をカーテン布地の下端に係着してなり、前記ピンと前記固着台とからなる止め具の係合位置を任意の位置に配置固定し、操作コードを上下してカーテン布地をたくし上げることを特徴とするカーテンの折り畳み構造の構成である。
【０００７】
また、前記課題は、上端縁に面ファスナーを備えたカーテン布地に突き刺し可能な針の先端付近に係合部を備えたピンと、該ピンの係合部を係着する嵌合部を備えた挟着部を有するとともにカーテン布地を上方にたくし上げる操作コードを挿通するリングを備えた固着台とからなる止め具をカーテン布地の所定間隔で一直線に配列し、前記ピンと前記固着台との止め具の係合位置を任意の位置に配置固定してカーテン布地を折り畳むようにした構成によっても達成できる。
【０００８】
カーテン布地に所定幅で分割し、それぞれの部分で独立して折り畳みまたは上下可能にして部分幅でたくし上げ可能にした構成、またはカーテン布地に突き刺し可能な針先端付近に係合部を備えたピンと、該ピンの係合部を係着する嵌合部を備えた挟着部を有するとともに操作コードを挿通するリングを備えた固着台とからなる止め具の各リングに前記操作コードを挿通して複数配設すると共にこの操作コードを前記ヘッドボックスまたはカーテンレールに備えた案内部材に挿通して配設し、これら各操作コードの操作部分が前記カーテン布地の片側に配置してなり、前記リングが前記操作コードの案内ガイドとした構成によって達成できる。
【０００９】
この発明のカーテンの折り畳み方法は、カーテン布地にピンと固着台とからなる止め具により簡易に折り畳むことができ、この止め具の取付けが簡単である。また、この止め具の着脱が中央部のつまみを指先で抓むことによりピンと固着台との係合を容易に解除することができる。
更に、カーテン布地の表側にピンを配置し、裏側に固着台を配置してあるから室内側から止め具が目立たない。しかも、裏側に取付けられる嵌合ホック付テープ等を使用することなく、洗濯に際しても面倒なこともなく、ピンと固着台との係合を解除して止め具を取り外すのみで容易にカーテン布地を洗濯することもできる。
【００１０】
この発明のカーテンは、通常のレース状のカーテンや厚手のローマンシェードにも簡易に止め具を固着することができる。しかも、このカーテン布地に縫製工程がないので取扱が便利である。
この止め具の係合部における係着構造は溝部とつまみ機構を備えた挟着部とからなっているが、この部分は磁力による係合でもよく、図面に示される実施の形態の構造に限定されるものではない。
【００１１】
ピンの突き刺す位置によって折り畳みの大きさを自由に調節することができ、好みに応じた長さの襞を形成することができる。例えば、コードを挿通するリングの位置をカーテンの対角線上に傾斜して配列した場合は下側コーナ部分のみたくし上げることができる。
【００１２】
しかも、操作コードの案内ガイドの止め具のリングは、その固着台が回転自在になっているので通常は固着台の上側に配置され、操作コードが円滑に移動する。
また、このリングは固着台に対して垂直上側に配置されず、所定の角度を設けてあるので操作コードの挿入がきわめて容易である。
【００１３】
【発明の実施の形態】
以下、本発明に係るカーテンの折り畳み構造の実施の形態について図面を参照して詳述する。
図１は本発明に係るカーテンの折り畳み構造の実施の形態を示す説明図である。図２は本発明のカーテンの折り畳み構造に使用するカーテンの実施の形態の裏面図である。図３は図２の左側面図である。図４は本発明のカーテンの折り畳み構造に使用する止め具の側面図及び平面図である。図５は本発明の止め具の分解斜視図である。図６は本発明の止め具の嵌着状態を示す説明図である。図７は他の実施の形態を示す説明図である。図８は止め具の係合状態を示す説明図である。図９は本発明のカーテンの折り畳み構造のコードを挿通するリングを斜めに配置した実施の形態を示す説明図である。図１０はカーテンに取り付けるリングの固定位置の間隔を各列毎相違させた実施の形態の説明図である。
【００１４】
図において、１は窓枠などヘッドボックスまたはカーテンレールに吊り下げるカーテンであり、この上端にはヘッドボックス等の吊金具２に係合するフック５が取付られてカーテン布地３が吊り下げられている。このカーテン布地３には直線状に所定の間隔で止め具６がこちゃくしてある。この止め具６は図４、図５及び図８に示されるように先端付近に係合部７ａを備えたピン７とこのピン７の係合部７ａに係着する嵌合部８ａを備えた挟着部９有する固着台８とから形成され、この固着台８の挟着部９はつまみによって常時閉じ方向に弾性が付与されている。つまみ部９ａをつまむと挟着部９は図８の矢印方向に移動して解放され、ピン７の係合部７ａが嵌合部８ａから抜ける（図８点線）。
【００１５】
この嵌合部８ａの外周に、操作コード１０の案内ガイドであるリング８ｂが突設してあり、このリング８ｂは嵌合部８ａに水平ではなく所定角度傾斜して突設してある。従って、操作コード１０の挿入が容易である。また嵌合部８ａに対して垂直７でないから中央部分の挟着部９のつまみの操作に邪魔にならない。また、ピン７にはカーテン布地３にくい込む突片７ｂを突出してあり、ピン７とカーテン布地３との係着するようになっている。これによって固着台８は回転するがピン７は所定位置に固定される。
【００１６】
カーテン布地の下縁付近の操作コード１０の末端には錘１０ａが取付けてある。操作コード１０は止め具６の各リング８ｂを挿通させた後、ヘッドボックスまたはカーテンレール４に設けた吊金具２またはフック５等に挿通させて係止機構４ａを経てヘッドボックスまたはカーテンレール４の片側に吊り下げられている。
【００１７】
このように形成されているカーテンの折り畳み方法を図面に基づき説明する。図１に示されるように、ピン７をカーテン布地３の表面から突き刺してカーテン布地３を所定の幅で折り畳み、折り畳まれた下側のカーテン布地３にピン７の先端を重ね突き刺し、カーテン布地３の裏側で、このピン７の先端の係合部７ａに嵌合部８ａを重ね合わせて、挟着部９に係合させて固着する。同様にして下方のカーテン布地３を操作コード１０の操作部分を下降して図１のように折り畳みたくし上げることができる。
【００１８】
このように折り畳み操作は、止め具６の位置を変更することによりカーテン布地３の折り畳み幅を変えることができる。また、このカーテン布地３の操作コード１０の右側に吊り下げられた操作部分を引き下げることによって通常のようにカーテン布地３をたくし上げることができる。
【００１９】
本発明のカーテンの折り畳み方法に使用されるカーテン布地３は操作コード９の案内ガイドであるリング８ｂを有する止め具６が所定間隔で固着して、操作コード１０の末端に錘１０ａがあり、カーテン布地３の下端に係着してあるから、操作コード１０の操作して図１、図７に示されるように容易にカーテン１をたくし上げることができる。カーテン布地３を所定幅に分割してそれぞれが独立して上下に操作できるようになっていてもよい（図７参照）。
【００２０】
図９に示される実施の形態は、操作コード１０をカーテン布地３の対角線上にリング８ａを傾斜配列して固定したもので、リング８ｂを上方の止め具６に嵌合してコーナー部分をたくし上げる（図９ｂ参照）。
また、図１０の実施の形態ではリング８ｂの取り付け間隔を変更して固着した場合は部分的に下縁の円弧形状が変えらることができ（図１０ｂ）、カーテンのデザインをインテリアとして効果を上げることができる。
【００２１】
【発明の効果】
本発明に係るカーテンの折り畳み方法は上記の如く構成されているため、次のような顕著な効果を奏する。
１）ピンと固着台からなる止め具を容易に取付解除する作業が極めて簡易であり、簡易に取り外すことができる。
２）カーテン布地自体にテープなどを取付ける縫製作業がないから現在使用中のカーテンでも簡易にピンと固着台が任意の位置に取付けられる。
３）カーテン布地の洗浄に際しても、カーテン布地に余分なものが縫製されていないから、止め具を取り外すのみで簡易にヘッドボックスから取り外して洗浄または交換することができる。
【図面の簡単な説明】
【図１】本発明に係るカーテンの折り畳み構造の実施の形態を示す説明図である。
【図２】本発明に係るカーテンの折り畳み構造に使用するカーテンの実施の形態の裏面図である。
【図３】図２の左側面図である。
【図４】本発明のカーテンの折り畳み構造を使用する１実施の形態の止め具の説明図で、
（ａ）側面図である。
（ｂ）平面図である。
【図５】本発明の止め具の分解斜視図である。
【図６】本発明の止め具のカーテン布地に対する嵌着状態を示す説明図である。
【図７】本発明の他の実施の形態を示す使用態様図である。
【図８】本発明に使用する止め具の係合状態を示す説明図である。
【図９】本発明のカーテンの折り畳み構造のコードを挿通するリングを斜めに配置した実施の形態を示す説明図で、
（ａ）は全体図で、（ｂ）はコーナー部分を引き上げた状態図である。
【図１０】カーテンに取り付けるリングの固定位置の間隔を各列毎相違させた実施の形態の説明図で、
（ａ）は全体図であり、（ｂ）は中央部分のみ引き上げた状態図である。
【図１】
0003586409.tif 000002
【図２】
0003586409.tif 000003
【図３】
0003586409.tif 000004
【図４】
0003586409.tif 000005
【図５】
0003586409.tif 000006
【図６】
0003586409.tif 000007
【図７】
0003586409.tif 000008
【図８】
0003586409.tif 000009
【図９】
0003586409.tif 000010
【図１０】
0003586409.tif 000011